(57)【要約】      （修正有）【課題】百人一首などの練習に使用する足袋又はソックスは激しい動きを伴うため、足袋又はソックスを履いて練習するとソックスが回転したり、足指全体が覆われていると足に力が入らない為、練習時は主に素足で練習することが多い。その為畳と足の甲が擦れ痛みを伴うこともある。これらの不便を解決するためのクッション材を設けた足袋又はソックスを提供する。【解決手段】足袋又はソックス２の上部甲にあたる部分にクッション材５を設け、指と指の間が接続されていることを特徴とし、又、少なくとも一ヶ所以上足指７部分を開放にし、開放された部分から出た指が畳を感じ蹴りやすく、激しい動きにも足袋又はソックスが回転したり、上部踝方向にずれてしまうことを制御することが出来ることを特徴としたクッション材を設けた足袋又はソックス。【選択図】図２
2018076632.tif 000002
【特許請求の範囲】
【請求項１】
足の甲の部分にクッション材を設け、指と指の間が接続されていることを特徴としたクッション材を設けた足袋又はソックス。
【請求項２】
足の甲の部分にクッション材を設け、少なくとも一ヶ所以上足指の部分が開放されたことを特徴とした請求項１記載のクッション材を設けた足袋又はソックス。
【請求項３】
前記足袋又はソックスにおいて、甲の部分にクッション材を挿入することが出来るポケットを設け、ポケットとクッション材を分離させたことを特徴とした請求項１、請求項２記載のクッション材を設けた足袋又はソックス。
【請求項４】
足袋又はソックスの甲の部分の織り方、編み方をクッション材に近い状態にし、クッション材と見做したことを特徴としたクッション材を設けた足袋又はソックス。
【発明の詳細な説明】
【技術分野】
【０００１】
本発明は、百人一首の練習時、畳と足の甲が擦れて痛みを感じることを解消することを目的としたクッション材を設けた足袋又はソックスに関するものである。
【背景技術】
【０００２】
クッション材を設けた足袋又はソックスは種々提案されているが、特許文献１は正座時の足のしびれ、甲部が床面に接触押圧することによる甲部の痛み、損傷また、かかと及びくるぶし後部がでん部に摂食押圧することによる、臀部の痛み損傷、違和感防止、緩和する、携帯性に優れ、外観が優れ、装着が簡単な甲の部分から足首までの正座サポーターであるが、足指の部分が全て開放されていることにより、激しい動きをした場合左右に回転、又は足首方向にサポーター全体がずれ上がってしまう欠点がある。
【０００３】
特許文献２は、乳幼児が這い這いをする際、足からズレて脱げることを防止し、また、床面上等を這い這いした際に滑り止め効果のある乳幼児用靴下である。本体部、開口部、滑止材から構成され、該滑止材が着用時に足甲部を覆う編成面の全部又は一部、例えば、舟状骨近傍の内表面、或いは内表面と外表面の両方にシート状に設けてなる。該滑止材はウレタン樹脂、シリコン樹脂又はアクリル樹脂等の合成樹脂素材等からなり、乳幼児にとって履き心地が悪くならないように可及的に薄く形成されている乳幼児用靴下であるが、指と指の間が繋がっていない為、靴下が動きによって左右に回転、又は動いてしまう欠点がある。
【０００４】
特許文献３は、正座時のしびれ防止、又はむくれ防止するための、正座用・むくれ防止用靴下であるが、足の甲を覆うように、厚み約５ミリの圧迫防止パットを設け、又、足首スペースはあけ、スペース上部より膝に向け、約４センチの長さの圧迫防止パットを設けた正座・むくれ防止用靴下であるが、指と指の間が繋がっていない為、靴下が動きによって左右に回転、又は動いてしまう欠点がある。
【先行技術文献】
【特許文献】
【０００５】
【特許文献１】特開２００２−２４２０１１号公報
【特許文献２】特開２０１０−１２６８６４号公報
【特許文献３】特開２０１６−７９５４７号公報
【発明の概要】
【発明が解決しようとする課題】
【０００６】
百人一首などの練習に使用する足袋又はソックスは激しい動きを伴うため、ソックスを履いて練習するとソックスが回転したり、動いてしまう欠点がある。普段練習時は主に素足で練習することが多く、その為足の甲が擦れ痛みを伴うこともある。
これらの不便を解決するためのクッション材を設けた足袋又はソックスを提供することを課題とする。
【課題を解決するための手段】
【０００７】
上記課題を解決するため、本発明に係る請求項１に記載の足袋又はソックスは足の甲に当たる部分にクッション材を設け、足指部分を接続することにより激しい動きにも足袋又はソックスが回転したり、上部踝方向にずれ上がってしまうことを制御することを特徴としている。
【０００８】
請求項２は、足の甲の部分にクッション材を設け、少なくとも一ヶ所以上足指の部分が開放され、指と指の間が接続されていることにより、指が畳と接触し蹴りやすく、又足袋又はソックスが回転したり、上部踝方向にずれてしまうことを制御することができることを特徴としている。
【０００９】
請求項３は、甲の部分にクッション材を挿入することが出来るポケットを設け、足袋又はソックスとクッション材を分離し、用途に応じてクッション材の厚み、大きさを替え使用し、クッション材が飛び出すことを防ぐ係止部をポケット挿入開口部近傍に設けたことを特徴としている。
【００１０】
請求項４は、足袋又はソックスの甲の部分の織り方、編み方をクッション材に近い状態にし、クッション材と見做したことを特徴としている。
【発明の効果】
【００１１】
本発明は、足袋又はソックスは上部甲にあたる部分にクッション材を設け、指と指の間を接続することにより激しい動きにも足袋又はソックスが回転したり、上部踝方向にずれてしまうことを制御することが出来る効果がある。
【００１２】
又、足袋又はソックス上部甲にあたる部分にクッション材を設け、少なくとも一ヶ所以上足指の部分を開放にし、開放された部分から出た指が畳を感じ蹴りやすく、指と指の間を接続することにより激しい動きにも足袋又はソックスが回転したり、上部踝方向にずれてしまうことを制御することが出来る効果がある。
【００１３】
又、足袋又はソックス上部甲にあたる部分にクッション材を入れるポケットを設け、ポケットにクッション材を挿入し、挿入開口部近傍にクッション材が飛び出さないよう係止部を設けた。そうすることにより足袋又はソックスとクッション材が分離し、用途に応じてクッション材の厚み、大きさを替え使用できる効果がある。
【００１４】
又、クッション材を入れないで足袋又はソックスのみを履き、出先に着いて
からクッション材をポケットに挿入して使用すれば、嵩張らず、又、クッショ
ン材を設けた足袋またはソックスを別に持って出かけなくても良く、普段使い
のソックスとして使用出来る効果がある。
【００１５】
又、クッション材を設けた足袋又はソックス、クッション材を分離した足袋又はソックス、甲の部分の織り方、編み方をクッション材に見做した足袋又はソックスは百人一首以外にも靴によって甲の部分が合わず痛い人にも使用出来る効果がある。
【００１６】
又、足指の部分を少なくとも一ヶ所以上開放することにより蒸れて水虫などになることを防ぐ効果がある。
【図面の簡単な説明】
【００１７】
【図１】足の甲の部分にクッション材を設けた足袋又はソックスを履いた斜視図である。
【図２】足の甲の部分にクッション材を設け、足指部分が開放され、足指と足指の間が接続されている足袋又はソックスを履いた斜視図である。
【図３】足の甲の部分にポケットを設け、ポケットとクッション材が分離していることを説明する斜視図である。
【図４】５本指が出るよう足袋又はソックスの足指部分が開放され、足指と足指の間が接続されている正面図である。
【図５】足指開放部から親指と、他の副指（人差し指から小指）は分かれ親指と副指の間が接続されている正面図である。
【図６】足袋又はソックスの甲の部分の織り方、編み方をクッション材に近い状態にし、クッション材と見做した足袋又はソックスを履いた斜視図である。
【発明を実施するための最良の携帯】
【００１８】
以下、本発明の実施の形態を図１〜図６に基づいて説明する。
【００１９】
図１は、足の甲１３の部分にクッション材５を設けることにより、正座などで足の甲１３の痛みを緩和させる。
又、激しい動きにも足袋又はソックス１が回転したり、上部踝方向にずれてしまうことを制御することが出来る
【００２０】
図２は、足の甲１３の部分にクッション材５を設け、少なくとも一ヶ所以上足指部分が開放６され、足指７と足指７の間が接続１２されていることを特徴としたクッション材５を設けた足袋又はソックス２斜視図であり、正座をしたり、激しい動きで畳と甲１３が擦れて皮が剥けることを解消することが出来る。
【００２１】
図３は、足の甲１３の部分にポケット８を設け、クッション材１０と足袋又はソックス３が分離していることを説明する斜視図であり、ポケット８にクッション材１０を入れる挿入開口部９を設け、挿入開口部９近傍にクッション材１０が飛び出さないよう係止部１１を設けた。そうすることにより足袋又はソックス３とクッション材１０が分離し、用途に応じてクッション材１０の厚み、大きさを替え使用でき、百人一首以外にも靴によって甲の部分が合わず痛い人にも使用出来る。
【００２２】
又、クッション材１０を挿入しないで外出すれば普段使いのソックス３として使用出来、水虫を気にしている、又水虫になっている人にも使用出来る。
【００２３】
図４は、クッション材５を設けた足袋又はソックス２の足指開放部６から５本足指７が出、足指７と足指７の間が接続部１２によって接続されている正面図であり、足指７が出ていることにより足指開放部６から出た足指７が畳を感じ蹴りやすく、足指７と足指７の間を接続部１２により接続することにより激しい動きにもクッション材５を設けた足袋又はソックス２が回転したり、上部踝方向にずれてしまうことを制御することが出来る。
【００２４】
図５は、親指１５が指開放部６から出て、他の副指１６も全て他の足指開放部６から出、親指１５と副指１６の間が接続１２されている正面図であり、副指１６とは人差し指から小指までを言う。又、親指１５と副指１６の間を接続部１２により接続することにより激しい動きにもクッション材５を設けた足袋又はソックス２が回転したり、上部踝方向にずれてしまうことを制御することが出来る。
【００２５】
図６は、足袋又はソックスの甲１３の部分の織り方、編み方をクッション材に近い状態にし、クッション材１７と見做し使用すれば、正座をした場合痛み
を緩和でき、又、靴を履いた時に甲の痛みも緩和することが出来る。
【産業上の利用可能性】
【００２６】
本発明に係わる上記クッション材を設けた足袋又はソックスは、百人一首の練習時、畳と足の甲が擦れて痛みを感じることを解消することができ、又、クッション材を挿入するポケットを設けることにより足袋又はソックスとクッション材が分離し、用途に応じてクッション材の厚み、大きさを替え使用でき、百人一首以外にも靴によって甲の部分が合わず痛い人にも使用出来る。
【００２７】
又、クッション材を入れないで足袋又はソックスのみを履き、出先に着いてからクッション材をポケットに挿入して使用すれば、嵩張らず、又、クッション材を設けた足袋またはソックスを別に持って出かけなくても良く、普段使いのソックスとして使用出来る。
【００２８】
又、足指の部分を少なくとも一ヶ所以上開放することにより蒸れて水虫などになることを防ぐことが出来る。
【００２９】
又、法事などお寺で正座する場合も使用出来、畳で正座をして講義を聴く場合等用途は広い。
【符号の説明】
【００３０】
１    クッション材を設けた足袋又はソックス
２    足指部分を開放させたクッション材を設けた足袋又はソックス
３    クッション材を分離させた足袋又はソックス
４    甲の部分の織り方、編み方をクッション材と見做した足袋又はソックス
５    クッション材
６    足指開放部
７    足指
８    ポケット
９    クッション材挿入開口部
１０  クッション材
１１  係止部
１２  接続部
１３  甲部分
１４  底面
１５  親指
１６  副指
１７  織り方、編み方をクッション材と見做した甲部
【図１】
2018076632.tif 000003
【図２】
2018076632.tif 000004
【図３】
2018076632.tif 000005
【図４】
2018076632.tif 000006
【図５】
2018076632.tif 000007
【図６】
2018076632.tif 000008